(57)【要約】【課題】運用系と待機系との切換えを従来よりも確実に行う。【解決手段】ＡＣＴ系共通処理装置３１とＡＣＴ系配下処理装置４１〜４４とによって構成される基地局制御装置１に、ＡＣＴ系共通処理装置３１の予備であるＳＢＹ系共通処理装置３２を用意しておき、ＡＣＴ系共通処理装置３１がＡＣＴ系配下処理装置４１〜４４の中から異常が発生している装置を検知した場合に、ＡＣＴ系共通処理装置３１の処理をＳＢＹ系共通処理装置３２に引き継がせ、ＳＢＹ系共通処理装置３２がＡＣＴ系配下処理装置４１〜４４の中から異常が発生している装置を検知し、かつ、その装置とＡＣＴ系共通処理装置３１が検知した装置とが同一である場合に、当該装置が異常の発生源であると特定する。【選択図】図１
2008083896.tif 000002
【特許請求の範囲】
【請求項１】
第一の装置と前記第一の装置にデータを送出する複数台の第二の装置とによって構成されるシステムにおける異常の発生源の特定方法であって、
前記第一の装置の予備である第一の予備装置を用意しておき、
異常が発生している前記第二の装置が前記第一の装置によって検知された場合に、前記第一の装置の処理を前記第一の予備装置に引き継がせ、
異常が発生していると前記第一の装置によって検知された前記第二の装置が前記第一の予備装置によっても検知された場合に、当該第二の装置が異常の発生源であると特定する、
ことを特徴とする異常の発生源の特定方法。
【請求項２】
第一の装置と前記第一の装置にデータを送出する複数台の第二の装置とによって構成されるシステムを運用するシステム運用方法であって、
前記第一の装置の予備である第一の予備装置と前記第二の装置の予備である第二の予備装置とを用意しておき、
異常が発生している前記第二の装置が前記第一の装置によって検知された場合に、前記第一の装置の処理を前記第一の予備装置に引き継がせ、
異常が発生している前記第二の装置が前記第一の予備装置によって検知された場合に、当該第二の装置の処理を前記第二の予備装置に引き継がせる、
ことを特徴とするシステム運用方法。
【請求項３】
前記第一の装置によって検知された前記第二の装置と前記第一の予備装置によって検知された前記第二の装置とが同一である場合に、前記第一の予備装置の処理を前記第一の装置に引き継がせる、
請求項２記載のシステム運用方法。
【請求項４】
配下にある基地局を制御する複数台の配下処理装置と前記各配下処理装置を一元的に管理する共通処理装置とによって構成される基地局制御システムを運営する基地局制御システム運営方法であって、
前記共通処理装置の予備である予備共通処理装置と前記配下制御装置の予備である予備配下処理装置とを用意しておき、
異常が発生している前記配下制御装置が前記共通処理装置によって検知された場合に、前記共通処理装置の処理を前記予備共通処理装置に引き継がせ、
異常が発生している前記配下制御装置が前記予備共通処理装置によって検知された場合に、当該配下制御装置の処理を前記予備配下処理装置に引き継がせる、
ことを特徴とする基地局制御システム運営方法。
【請求項５】
第一の装置と、
前記第一の装置にデータを送出する複数台の第二の装置と、
前記第一の装置の予備である第一の予備装置と、
前記第二の装置の予備である第二の予備装置と、によって構成され、
異常が発生している前記第二の装置を前記第一の装置が検知した場合に、前記第一の予備装置は、前記第一の装置の処理を引き継ぎ、
異常が発生している前記第二の装置を前記第一の予備装置が検知した場合に、前記第二の予備装置は、当該第二の装置の処理を引き継ぐ、
ことを特徴とする処理システム。
【発明の詳細な説明】
【技術分野】
【０００１】
本発明は、冗長性を有するシステムにおける異常の発生源の特定方法および当該システムの運用方法などに関する。
【背景技術】
【０００２】
携帯電話などの移動通信システムは、主に、コアネットワーク、無線ネットワーク、および無線アクセス部分によって構成される。特に、コアネットワークおよび無線ネットワークを構成する各装置は、障害の発生に備えて冗長化されている。つまり、予備の装置を設けスタンバイさせている。そして、現用の装置に障害が発生した場合または発生しそうになった場合に、その予備の装置に処理を引き継がせる。
【０００３】
現用の装置と予備の装置との切換えの方法として、特許文献１に記載されるような方法が提案されている。係る方法によると、信号処理部の障害発生による呼張替発生時に、待機系の通信制御部において呼張替対象テーブル及び呼切断対象テーブルを設け、呼張替処理中に通信制御部の障害による二重化切替が発生した場合に呼張替処理を継続させて情報を一致させる処理を行う。また通信処理部の異常発生による二重化切替処理中に信号処理部の障害発生が発生した場合に新運用系の通信制御部において呼張替対象テーブル及び呼切断対象テーブルを設け、呼張替処理を継続させて情報を一致させる処理を行う。
【特許文献１】特開２００１−１７７４４６号公報
【発明の開示】
【発明が解決しようとする課題】
【０００４】
図６は従来の系統の切換えの遷移の例を示す図である。図６において、点線で表わす装置はスタンバイ（待機）の状態であることを意味する。１点鎖線で表わす装置は基地局制御装置１から切り離されており、スタンバイの状態でもないことを、意味する。
【０００５】
ところで、移動通信システムの中の基地局制御装置を構成する共通処理装置および配下処理装置も、図６（ａ）に示すように、冗長な構成をとっている。そして、現用の共通処理装置のバッファが枯渇しそうになると、図６（ｂ）に示すように、現用の共通処理装置が行っている処理を予備の共通処理装置に引き継がせ、現用の共通処理装置の切離し（ＡＬＭ）を行う。これにより、バッファの枯渇を事前に回避することができる。
【０００６】
しかし、現用の共通処理装置のバッファが枯渇しそうになる原因は、現用の共通処理装置以外で発生しているかもしれない。例えば、現用の共通処理装置と連携している配下処理装置において大量のメッセージを送出する異常が発生しているために、現用の共通処理装置のバッファが枯渇しそうになったのかもしれない。そうすると、予備の共通処理装置に処理を引き継がせても、図６（ｃ）に示すように、今度は、予備の共通処理装置のバッファが枯渇し、ＲＮＣ全体がダウンしてしまうおそれがある。
【０００７】
したがって、システムの信頼性を高めるためには、単にシステムに冗長性を持たせるだけでなく、どの現用の装置を予備の装置に切り換えるべきであるかを確実に判断することが必要である。
【０００８】
本発明は、このような問題点に鑑み、冗長性を有するシステムにおいて運用系と待機系との切換えを従来よりも確実に行えるようにすることを、目的とする。
【課題を解決するための手段】
【０００９】
本発明に係る異常の発生源の特定方法は、第一の装置と前記第一の装置にデータを送出する複数台の第二の装置とによって構成されるシステムにおける異常の発生源の特定方法であって、前記第一の装置の予備である第一の予備装置を用意しておき、異常が発生している前記第二の装置が前記第一の装置によって検知された場合に、前記第一の装置の処理を前記第一の予備装置に引き継がせ、異常が発生していると前記第一の装置によって検知された前記第二の装置が前記第一の予備装置によっても検知された場合に、当該第二の装置が異常の発生源であると特定する。
【００１０】
本発明に係るシステム運用方法は、第一の装置と前記第一の装置にデータを送出する複数台の第二の装置とによって構成されるシステムを運用するシステム運用方法であって、前記第一の装置の予備である第一の予備装置と前記第二の装置の予備である第二の予備装置とを用意しておき、異常が発生している前記第二の装置が前記第一の装置によって検知された場合に、前記第一の装置の処理を前記第一の予備装置に引き継がせ、異常が発生している前記第二の装置が前記第一の予備装置によって検知された場合に、当該第二の装置の処理を前記第二の予備装置に引き継がせる。
【００１１】
好ましくは、前記第一の装置によって検知された前記第二の装置と前記第一の予備装置によって検知された前記第二の装置とが同一である場合に、前記第一の予備装置の処理を前記第一の装置に引き継がせる。
【発明の効果】
【００１２】
請求項１の発明によると、異常の発生源を従来よりも確実に特定することができる。よって、運用系と待機系との切換えを従来よりも確実に行うことができる。
【００１３】
請求項２〜４の発明によると、現用の装置（第一の装置または共通処理装置）および予備の装置（第一の予備装置または予備共通処理装置）の両方が下位の装置（第二の装置または配下処理装置）での異常を検知した場合に、当該下位の装置の処理を予備の装置（第二の予備装置または予備配下処理装置）に引き継がせる。よって、運用系と待機系との切換えを従来よりも確実に行うことができる。
【発明を実施するための最良の形態】
【００１４】
図１は基地局制御装置１のハードウェア構成の例を示す図である。
【００１５】
本発明に係る基地局制御装置１は、携帯電話システムなどの移動通信システムにおけるＲＮＣ（Radio Network Controller）である。無線網制御装置または無線ネットワーク制御局などと呼ばれることもある。
【００１６】
図１に示すように、基地局制御装置１は、上位装置２、共通処理装置３、および配下処理装置４などによって構成される。各装置には、ユニークな識別番号が付されている。
【００１７】
上位装置２は、基地局制御装置１よりも上位側にあるコアネットワークの各装置（ＭＳＣ（Mobile Switching Center）またはＭＰＥ（Multimedia Processing Equipment）など）からの信号を受信し、共通処理装置３からの信号をこれらの装置に送信し、または共通処理装置３を制御する。
【００１８】
基地局制御装置１には、上位装置２として、通常使用されるＡＣＴ系上位装置２１と、ＡＣＴ系上位装置２１に故障またはリソースの枯渇などの不具合が発生した場合または不具合が発生しそうな場合に使用されるＳＢＹ系上位装置２２とが、設けられている。
【００１９】
配下処理装置４は、基地局（ＢＴＳ（Base Transceiver Station））からの信号を受信し、基地局に信号を発信し、または共通処理装置３からの指令に基づいて携帯電話端末の移動などに伴う２つの基地局間でのハンドオーバの制御を行う。図１の例の基地局制御装置１には、５台の配下処理装置４が設けられており、通常は、そのうちの４台が使用される。以下、これら４台の配下処理装置４をそれぞれ「ＡＣＴ系配下処理装置４１」、「ＡＣＴ系配下処理装置４２」、「ＡＣＴ系配下処理装置４３」、および「ＡＣＴ系配下処理装置４４」と区別して記載することがある。残りの１台の配下処理装置４は、ＡＣＴ系配下処理装置４１〜４４のうちのいずれかに不具合が発生した場合または不具合が発生しそうな場合に使用される。以下、この残りの１台の配下処理装置４を「ＳＢＹ系配下処理装置４５」と記載することがある。
【００２０】
共通処理装置３は、各配下処理装置４を一元的に管理する。例えば、無線の状態、各セルのエリアの状況、携帯電話端末の位置などに基づいて、ハンドオーバなどの処理を実行するように各配下処理装置４に対して指令を与える。また、共通処理装置３は、各配下処理装置４からのメッセージなどのデータを一時的に格納するバッファＢＲを有している。
【００２１】
基地局制御装置１には、共通処理装置３として、通常使用されるＡＣＴ系共通処理装置３１と、ＡＣＴ系共通処理装置３１に故障またはリソースの枯渇などの不具合が発生した場合または不具合が発生しそうな場合に使用されるＳＢＹ系共通処理装置３２とが、設けられている。
【００２２】
上位装置２、共通処理装置３、および配下処理装置４として、ＦＰＧＡ（Field Programmable Gate Array）のカードが用いられる。
【００２３】
図２は系統の切換えの処理のために共通処理装置３に設けられた機能の例を示す図、図３は異常検出処理の流れの例を説明するフローチャートである。
【００２４】
以下、共通処理装置３および配下処理装置４のＡＣＴ系（現用系）とＳＢＹ系（予備系）との切換について説明する。
【００２５】
共通処理装置３には、上に説明したハンドオーバなどの処理を行うためのハードウェアおよびソフトウェアのほか、図２に示すようなバッファ監視部３０１、配下処理装置異常検知部３０２、異常配下処理装置通知部３０３、配下処理装置切換部３０４、および共通処理装置切換部３０５などが設けられている。
【００２６】
バッファ監視部３０１は、共通処理装置３自身のバッファＢＲに現在蓄積されているデータの量を、その送出元である配下処理装置４ごとにカウントし監視する。また、共通処理装置３自身のバッファＢＲに蓄積されている全データの量をも監視する。
【００２７】
配下処理装置異常検知部３０２は、バッファ監視部３０１による監視の結果に基づいて、図３に示すような方法で、異常が発生している配下処理装置４を検知する。
【００２８】
配下処理装置異常検知部３０２は、バッファＢＲに蓄積されているデータの量が一次閾値α１を超えている場合は（＃１０１でＹｅｓ）、バッファＢＲに蓄積されているメッセージの量を、その送出元である配下処理装置４ごとにカウントする処理を開始するように、バッファ監視部３０１に要求する（＃１０２）。なお、メッセージの量のカウントは、その個数を数えることによって行ってもよいし、そのサイズの合計を算出することによって行ってもよい。
【００２９】
その後、バッファＢＲに蓄積されているデータの量が解除閾値β以下に落ち着いたら（＃１０３でＹｅｓ）、カウントを終了するとともに、運用の系統を切り換える必要があるほどの異常は発生していないと判別する（＃１０４）。
【００３０】
一方、バッファＢＲに蓄積されているデータの量が解除閾値β以下に落ち着くことなく、さらに二次閾値α２を越えた場合は（＃１０３でＮｏ、＃１０５でＹｅｓ）、各配下処理装置４についてのカウントの結果に基づいて、どの配下処理装置４からのメッセージの量が最も多くバッファＢＲに蓄積されているかを判別し、判別した配下処理装置４を、大量のメッセージを送出する異常が発生しているカード（装置）として選出する（＃１０６）。ただし、「二次閾値α２＞一次閾値α１」かつ「二次閾値α２＞解除閾値β」である。以下、異常が検出された配下処理装置４を「異常配下処理装置４’」と記載することがある。
【００３１】
バッファＢＲに蓄積されているデータの量が一次閾値α１以下である場合は（＃１０１でＮｏ）、大量のメッセージを送出する以外の異常が発生していると判別する（＃１０２）。
【００３２】
図２に戻って、異常配下処理装置通知部３０３は、配下処理装置異常検知部３０２によって検知された異常配下処理装置４’の識別番号を他方の共通処理装置３に通知する。
【００３３】
配下処理装置切換部３０４は、配下処理装置異常検知部３０２によって検知された異常配下処理装置４’を、スタンバイ中のＳＢＹ系配下処理装置４５に切り換えるための処理を行う。具体的には、異常配下処理装置４’の動作を停止させることによって異常配下処理装置４’を基地局制御装置１から切り離す。それとともに、ＳＢＹ系配下処理装置４５をアクティブにして、異常配下処理装置４’が行っていた処理をＳＢＹ系配下処理装置４５に引き継がせる。
【００３４】
共通処理装置切換部３０５は、その共通処理装置３自身を他方の共通処理装置３に切り換えるための処理を行う。
【００３５】
例えば、ＡＣＴ系共通処理装置３１の共通処理装置切換部３０５は、ＡＣＴ系共通処理装置３１の処理を引き継ぐようにＳＢＹ系共通処理装置３２に対して依頼した後、ＡＣＴ系共通処理装置３１自身の動作を停止する。バッファＢＲに蓄積されているメッセージは、動作を停止するまでに処理してしまう。一方、ＳＢＹ系共通処理装置３２の共通処理装置切換部３０５は、ＡＣＴ系共通処理装置３１からの依頼を受け付けると、ＳＢＹ系共通処理装置３２全体の動作を開始し、ＡＣＴ系共通処理装置３１からの処理を引き継ぐ。
【００３６】
または、ＳＢＹ系共通処理装置３２がアクティブである状態からＡＣＴ系共通処理装置３１を再び組み込む（復帰させる）場合は、両共通処理装置３の共通処理装置切換部３０５は、それぞれ、立場を入れ換えて上記の処理を行う。
【００３７】
また、共通処理装置切換部３０５は、切換えを行った旨の警告（ＡＬＭ）を上位装置２および各配下処理装置４に通知する。
【００３８】
図４は基地局制御装置１の系統の切換えの遷移の例を示す図、図５は基地局制御装置１の全体的な処理の流れの例を説明するフローチャートである。
【００３９】
次に、ＡＣＴ系配下処理装置４３においてメッセージを大量に送出する異常が発生した場合を例に、運用の系統の切換えの手順を、図４の遷移図および図５のフローチャートを参照しながら説明する。なお、図４において、点線で表わす装置はスタンバイ（待機）の状態であることを意味する。１点鎖線で表わす装置は基地局制御装置１から切り離されており、スタンバイの状態でもないことを、意味する。
【００４０】
現在、図４（ａ）に示すように、ＡＣＴ系上位装置２１、ＡＣＴ系共通処理装置３１、およびＡＣＴ系配下処理装置４１〜４４がアクティブであり、ＳＢＹ系上位装置２２、ＳＢＹ系共通処理装置３２、およびＳＢＹ系配下処理装置４５がスタンバイ（待機）している。
【００４１】
ＡＣＴ系共通処理装置３１は、大量メッセージの送出の異常の発生の疑いを検知すると（図５の＃１）、異常検出処理を実行する（＃２）。つまり、ＡＣＴ系配下処理装置４１〜４４のうちのいずれが大量にメッセージを送出しているのか、またはそれ以外の異常が発生しているのかを、検出する。異常検出処理の手順は、前に図３で説明した通りである。
【００４２】
大量のメッセージを送出する配下処理装置４を検出した場合は（＃３でＹｅｓ）、種々の状況に応じて、適宜、ステップ＃４〜＃９の処理を行う。以下、図４（ａ）に示すようにＡＣＴ系配下処理装置４３が検出された場合について説明する。
【００４３】
上述の通り、ＳＢＹ系共通処理装置３２が現在スタンバイしているので（＃４でＹｅｓ）、ＡＣＴ系共通処理装置３１は、図４（ｂ）のように、ステップ＃４で検出した配下処理装置４（つまり、ＡＣＴ系配下処理装置４３）の識別番号をＳＢＹ系共通処理装置３２に通知する（＃５）。そして、ＡＣＴ系共通処理装置３１自身の処理をＳＢＹ系共通処理装置３２に引き継がせる（＃６）。
【００４４】
このように、異常を事前に検知し共通処理装置３の系統を切り換えることによって、バッファＢＲの枯渇によるシステムの不具合の発生を事前に防止することができる。
【００４５】
その後、ＳＢＹ系共通処理装置３２がＡＣＴ系共通処理装置３１の処理を代替する。ＳＢＹ系共通処理装置３２も、図５のフローチャートの流れに従って異常の発生に対処する。
【００４６】
すなわち、ＳＢＹ系共通処理装置３２は、大量メッセージの送出の異常の発生の疑いを検知すると（＃１）、異常検出処理を実行する（＃２）。
【００４７】
大量のメッセージを送出する配下処理装置４を検出した場合は（＃３でＹｅｓ）、種々の状況に応じて、適宜、ステップ＃４〜＃９の処理を行う。ここでは、スタンバイしている他の共通処理装置３が存在しないので（＃４でＮｏ）、ステップ＃７〜＃９の処理を行う。すなわち、まず、検出した配下処理装置４を切り離し、ＳＢＹ系配下処理装置４５に切り換える（＃７）。例えば、ＡＣＴ系配下処理装置４３を検出した場合は、図４（ｃ）に示すように、ＡＣＴ系配下処理装置４３を切り離し、ＳＢＹ系配下処理装置４５に切り換える。これにより、ＡＣＴ系配下処理装置４３が実行していた処理がＳＢＹ系配下処理装置４５に引き継がれる。なお、ＡＣＴ系配下処理装置４３は、その後、基地局制御装置１から取り外され、不具合を解消するための保守などが施される。
【００４８】
前にＡＣＴ系共通処理装置３１から通知された識別番号に係る配下処理装置４（つまり、ＡＣＴ系共通処理装置３１が検出した配下処理装置４）とステップ＃２でＳＢＹ系共通処理装置３２自身が検出した配下処理装置４とを比較し、両者が一致する場合は（＃８でＹｅｓ）、異常の発生の原因がその配下処理装置４にあったものと、より確実に判断できる。つまり、ＡＣＴ系共通処理装置３１は正常であると、より確実に判断できる。そこで、ＳＢＹ系共通処理装置３２は、図４（ｃ）に示すように、ＡＣＴ系共通処理装置３１を再び基地局制御装置１に組み込み、ＳＢＹ系共通処理装置３２が行っていた処理をＡＣＴ系共通処理装置３１に引き継がせる（＃９）。もちろん、ＳＢＹ系共通処理装置３２にも異常の原因は存在しないと判断できるので、その後、ＳＢＹ系共通処理装置３２は、スタンバイの状態に戻る。
【００４９】
なお、ＡＣＴ系共通処理装置３１およびＳＢＹ系共通処理装置３２は、ステップ＃２において大量メッセージの送出以外の異常を検出した場合は（＃３でＮｏ、＃１０でＹｅｓ）、従来通り、その異常に対処するための処理を行う（＃１１）。
【００５０】
本実施形態によると、ＡＣＴ系上位装置２１およびＳＢＹ系上位装置２２のそれぞれが、異常が発生している配下処理装置４を検知する。そして、両者が検知した配下処理装置４が一致した場合に、その配下処理装置４において異常が発生していると特定する。よって、従来よりも確実に異常の発生源を特定することができる。また、その特定の結果に応じてＳＢＹ系共通処理装置３２からＡＣＴ系共通処理装置３１への切換え（復帰、再組込）を行うので、基地局制御装置１の全体の信頼性を従来よりも高めることができる。
【００５１】
また、本実施形態によると、バッファＢＲが枯渇する前に運用の系統の切換えを開始する。よって、システムダウンを未然に防ぐことができ、保守面においても優れたサービスを提供することができる。
【００５２】
本実施形態では、図３で説明したように系統の切換えの処理を共通処理装置３が実行したが、図３に示す一部または全部の機能を実現する回路、ＣＰＵ、またはソフトウェアを共通処理装置３とは別に用意し、系統の切換えの処理を当該回路またはＣＰＵが実行するように構成してもよい。
【００５３】
本実施形態では、図５に示したように、ＳＢＹ系共通処理装置３２が異常を検出した配下処理装置４を、無条件にＳＢＹ系配下処理装置４５に切り換えたが、その配下処理装置４とＡＣＴ系共通処理装置３１が異常を検出した配下処理装置４とが一致した場合にのみ、切換えを行うように構成してもよい。
【００５４】
図５のフローチャートに示す一連の処理は、ソフトウェアによって実現するように構成してもよい。
【００５５】
その他、基地局制御装置１、共通処理装置３の全体または各部の構成、処理内容、処理順序などは、本発明の趣旨に沿って適宜変更することができる。
【００５６】
上に述べた実施例には、以下に述べるような付記も開示されている。
（付記１）
第一の装置と前記第一の装置にデータを送出する複数台の第二の装置とによって構成されるシステムにおける異常の発生源の特定方法であって、
前記第一の装置の予備である第一の予備装置を用意しておき、
異常が発生している前記第二の装置が前記第一の装置によって検知された場合に、前記第一の装置の処理を前記第一の予備装置に引き継がせ、
異常が発生していると前記第一の装置によって検知された前記第二の装置が前記第一の予備装置によっても検知された場合に、当該第二の装置が異常の発生源であると特定する、
ことを特徴とする異常の発生源の特定方法。
（付記２）
第一の装置と前記第一の装置にデータを送出する複数台の第二の装置とによって構成されるシステムを運用するシステム運用方法であって、
前記第一の装置の予備である第一の予備装置と前記第二の装置の予備である第二の予備装置とを用意しておき、
異常が発生している前記第二の装置が前記第一の装置によって検知された場合に、前記第一の装置の処理を前記第一の予備装置に引き継がせ、
異常が発生している前記第二の装置が前記第一の予備装置によって検知された場合に、当該第二の装置の処理を前記第二の予備装置に引き継がせる、
ことを特徴とするシステム運用方法。
（付記３）
前記第一の装置によって検知された前記第二の装置と前記第一の予備装置によって検知された前記第二の装置とが同一である場合に、前記第一の予備装置の処理を前記第一の装置に引き継がせる、
付記２記載のシステム運用方法。
（付記４）
前記第一の予備装置によって検知された前記第二の装置の処理は、当該第二の装置と前記第一の装置によって検知された前記第二の装置とが同一である場合に、前記第二の予備装置に引き継がせる、
付記２または付記３記載のシステム運用方法。
（付記５）
前記第一の装置および前記第一の予備装置は、バッファに蓄積されているデータの量をその送出元である前記第二の装置ごとにチェックし、所定の量を超えるデータの送出元である前記第二の装置において異常が発生していると検知する、
付記２ないし付記４のいずれかに記載のシステム運用方法。
（付記６）
配下にある基地局を制御する複数台の配下処理装置と前記各配下処理装置を一元的に管理する共通処理装置とによって構成される基地局制御システムを運営する基地局制御システム運営方法であって、
前記共通処理装置の予備である予備共通処理装置と前記配下制御装置の予備である予備配下処理装置とを用意しておき、
異常が発生している前記配下制御装置が前記共通処理装置によって検知された場合に、前記共通処理装置の処理を前記予備共通処理装置に引き継がせ、
異常が発生している前記配下制御装置が前記予備共通処理装置によって検知された場合に、当該配下制御装置の処理を前記予備配下処理装置に引き継がせる、
ことを特徴とする基地局制御システム運営方法。
（付記７）
前記共通処理装置によって検知された前記配下処理装置と前記予備共通処理装置によって検知された前記配下処理装置とが同一である場合に、前記予備共通処理装置の処理を前記共通処理装置に引き継がせる、
付記６記載の基地局制御システム運営方法。
（付記８）
第一の装置と、
前記第一の装置にデータを送出する複数台の第二の装置と、
前記第一の装置の予備である第一の予備装置と、
前記第二の装置の予備である第二の予備装置と、によって構成され、
異常が発生している前記第二の装置を前記第一の装置が検知した場合に、前記第一の予備装置は、前記第一の装置の処理を引き継ぎ、
異常が発生している前記第二の装置を前記第一の予備装置が検知した場合に、前記第二の予備装置は、当該第二の装置の処理を引き継ぐ、
ことを特徴とする処理システム。
（付記９）
前記第一の装置が検知した前記第二の装置と前記第一の予備装置が検知した前記第二の装置とが同一である場合に、前記第一の装置は、前記第一の予備装置の処理を引き継ぐ、
付記８記載の処理システム。
（付記１０）
配下にある基地局を制御する複数台の配下処理装置と、
前記各配下処理装置を一元的に管理する共通処理装置と、
前記共通処理装置の予備である予備共通処理装置と、
前記配下制御装置の予備である予備配下処理装置と、によって構成され、
異常が発生している前記配下制御装置を前記共通処理装置が検知した場合に、前記予備共通処理装置は、前記共通処理装置の処理を引き継ぎ、
異常が発生している前記配下制御装置を前記予備共通処理装置が検知した場合に、前記予備配下処理装置は、当該配下制御装置の処理を引き継ぐ、
ことを特徴とする基地局制御システム。
（付記１１）
前記共通処理装置が検知した前記配下処理装置と前記予備共通処理装置が検知した前記配下処理装置とが同一である場合に、前記共通処理装置は、前記予備共通処理装置の処理を引き継ぐ、
付記１０記載の基地局制御システム。
【図面の簡単な説明】
【００５７】
【図１】基地局制御装置のハードウェア構成の例を示す図である。
【図２】系統の切換えの処理のために共通処理装置に設けられた機能の例を示す図である。
【図３】異常検出処理の流れの例を説明するフローチャートである。
【図４】基地局制御装置の系統の切換えの遷移の例を示す図である。
【図５】基地局制御装置の全体的な処理の流れの例を説明するフローチャートである。
【図６】従来の系統の切換えの遷移の例を示す図である。
【符号の説明】
【００５８】
１  基地局制御装置（システム、基地局制御システム、処理システム）
３１  ＡＣＴ系共通処理装置（第一の装置、共通処理装置）
３２  ＳＢＹ系共通処理装置（第一の予備装置、予備共通処理装置）
４１〜４４  ＡＣＴ系配下処理装置（第二の装置、配下処理装置）
４５  ＳＢＹ系配下処理装置（第二の予備装置、予備配下処理装置）
【図１】
2008083896.tif 000003
【図２】
2008083896.tif 000004
【図３】
2008083896.tif 000005
【図４】
2008083896.tif 000006
【図５】
2008083896.tif 000007
【図６】
2008083896.tif 000008